(57)【要約】【課題】  刈り刃ハウジングの後端側を接地支持する障害物乗り越え接地体を備えながら、回転刈り刃の回転域への空気導入を良好に行わせ得るモーアを提供する。【解決手段】  刈り刃ハウジング２１の内部で刈り刃ハウジング横方向に並ぶ複数の回転刈り刃２２Ｌ，２２Ｒ，２２Ｃを刈り刃ハウジング上下向きの軸芯Ｘまわりで駆動回転自在に備え、回転刈り刃２２Ｌ，２２Ｒ，２２Ｃの後方側に回転刈り刃２２Ｌ，２２Ｒ，２２Ｃの回転域２２ＬＡ，２２ＲＡ，２２ＣＡに沿って位置する後バッフルプレート５０と、刈り刃ハウジング２１の横一端部に位置する刈り草排出口２３とを備えている。刈り刃ハウジング２１の後縦壁２１ｃの刈り刃ハウジング横方向での中央部に通気口３３を設けてある。刈り刃ハウジング２１の後端側を接地支持する障害物乗り越え接地体６２を、障害物乗り越え接地体６２の一部又は全体が通気口３３から刈り刃ハウジング後方に突出した配置で支持させてある。【選択図】        図４
2008054522.tif 000002
【特許請求の範囲】
【請求項１】
刈り刃ハウジングの内部で刈り刃ハウジング横方向に並ぶ複数の回転刈り刃を刈り刃ハウジング上下向きの軸芯まわりで駆動回転自在に備え、前記刈り刃ハウジングの内部の前記回転刈り刃の後方側に前記回転刈り刃の回転域に沿って位置する後バッフルプレートと、前記刈り刃ハウジングの横一端部に位置する刈り草排出口とを備えたモーアであって、
前記刈り刃ハウジングの後縦壁の刈り刃ハウジング横方向での中央部に通気口を設け、
前記刈り刃ハウジングの後端側を接地支持する障害物乗り越え接地体を、この障害物乗り越え接地体の一部又は全体が前記通気口から刈り刃ハウジング後方に突出した配置で支持させてあるモーア。
【請求項２】
前記障害物乗り越え接地体を支持する支持部材を、前記通気口を挿通させて前記後バッフルプレートと前記後縦壁とにわたって連結してある請求項１記載のモーア。
【請求項３】
前記通気口と前記支持部材を挟んで刈り刃ハウジング横方向に並ぶように、かつ、前記支持部材の近くに位置するように配置した第二通気口を前記後縦壁に設けてある請求項２記載のモーア。
【発明の詳細な説明】
【技術分野】
【０００１】
本発明は、刈り刃ハウジングの内部で刈り刃ハウジング横方向に並ぶ複数の回転刈り刃を刈り刃ハウジング上下向きの軸芯まわりで駆動回転自在に備え、前記刈り刃ハウジングの内部の前記回転刈り刃の後方側に前記回転刈り刃の回転域に沿って位置する後バッフルプレートと、前記刈り刃ハウジングの横一端部に位置する刈り草排出口とを備えたモーアに関する。
【背景技術】
【０００２】
上記のモーアにおいて、従来、たとえば特許文献１に示されるものがあった。
特許文献１に示されるものは、モーアデッキ（刈り刃ハウジングに相当）の後縦壁のモーアデッキ横方向での中央部と、後部バッフルプレートとにわたって連結された板体でなる接地体を備えている。すなわち、地面に隆起部があっても、接地体が乗り上がってモーアデッキの後端側を接地支持し、モーアデッキの隆起部への突っ込みを回避しやすくなっている。
【０００３】
【特許文献１】特開２００５−２５３３８７号公報（図５，９）
【発明の開示】
【発明が解決しようとする課題】
【０００４】
この種のモーアでは、回転刈り刃によって刈り刃ハウジングの外部空気を内部に導入し、空気流を発生させて芝や草を起立させながら刈り取り処理する。このため、空気導入の円滑化を図ると、刈取りの性能や能率がアップする。ところが、上記した従来の技術を採用した場合、刈り刃ハウジングの後縦壁に通気口を設けて空気導入の円滑化を図っても、接地体が通気障害となり、良好な結果が得にくくなっていた。
【０００５】
本発明の目的は、刈り刃ハウジングの後端側を接地支持する障害物乗り越え接地体を備えながら、回転刈り刃の回転域への空気導入を良好に行わせ得るモーアを提供する。
【課題を解決するための手段】
【０００６】
本第１発明は、刈り刃ハウジングの内部で刈り刃ハウジング横方向に並ぶ複数の回転刈り刃を刈り刃ハウジング上下向きの軸芯まわりで駆動回転自在に備え、前記刈り刃ハウジングの内部の前記回転刈り刃の後方側に前記回転刈り刃の回転域に沿って位置する後バッフルプレートと、前記刈り刃ハウジングの横一端部に位置する刈り草排出口とを備えたモーアにおいて、
前記刈り刃ハウジングの後縦壁の刈り刃ハウジング横方向での中央部に通気口を設け、
前記刈り刃ハウジングの後端側を接地支持する障害物乗り越え接地体を、この障害物乗り越え接地体の一部又は全体が前記通気口から刈り刃ハウジング後方に突出した配置で支持させてある。
【０００７】
本第１発明の構成によると、刈り刃ハウジングの外部の空気が障害物乗り越え接地体の周囲から通気口に容易に流入するとともに通気口から回転刈り刃の回転域に障害物乗り越え接地体の抵抗を受けないで容易に流入する。この結果、回転刈り刃への空気導入を円滑に行わせ、刈り刃回転域に効果的な空気流を発生させることができる。
【０００８】
これにより、障害物乗り越え接地体による刈り刃ハウジングの接地支持によって刈り刃ハウジングの隆起部への突っ込みを回避しやすいものでありながら、草や芝を確実に起立させて精度よくかつ能率よく刈取り処理することができる。
【０００９】
本第２発明は、本第１発明の構成において、前記障害物乗り越え接地体を支持する支持部材を、前記通気口を挿通させて前記後バッフルプレートと前記後縦壁とにわたって連結してある。
【００１０】
本第２発明の構成によると、後パッフルプレートと後縦壁との支持部材による連結によって後縦壁を補強できる。
【００１１】
これにより、後縦壁に通気口が存在するにもかかわらず、後縦壁の強度確保が支持部材を補強手段に利用して安価にできる。
【００１２】
本第３発明は、本第２発明の構成において、前記通気口と前記支持部材を挟んで刈り刃ハウジング横方向に並ぶように、かつ、前記支持部材の近くに位置するように配置した第二通気口を前記後縦壁に設けてある。
【００１３】
本第３発明の構成によると、刈り刃ハウジングの外部空気が刈り刃回転域に通気口から流入するのみならず、第二通気口からも流入し、回転刈り刃への空気導入をより円滑に行わせ、刈り刃回転域に空気流を一層効果的に発生させることができる。第二通気口を支持部材の近くに配置してあるから、支持部材による後縦壁の補強を効果的に行わせることができる。
【００１４】
これにより、刈り刃ハウジングの隆起部への突っ込みを障害物乗り越え接地体によって回避しやすいものでありながら、後縦壁に通気口や第二通気口が存在するにもかかわらず後縦壁の強度確保を安価に行いながら、草や芝を一層確実に起立させて精度よくかつ能率よく刈取り処理することができ、
【発明を実施するための最良の形態】
【００１５】
以下、本発明の実施例を図面に基づいて説明する。
図１は、乗用型草刈機の全体側面図である。図２は、乗用型草刈機の全体平面図である。これらの図に示すように、乗用型草刈機は、左右一対の前車輪１，１と左右一対の後車輪２，２とを有した自走車体と、この自走車体の車体フレーム３の前輪１と後輪２との間にリンク機構４を介して装着された本発明の実施例に係るモーア２０とを備えている。
【００１６】
この乗用型草刈機は、草刈りや芝刈り作業を行うものである。
すなわち、リンク機構４の左右一対の後揺動リンク４ｂ，４ｂを一体揺動自在に支持している支軸４ｄに連結された昇降シリンダ１４を操作すると、リンク機構４が昇降シリンダ１４によって車体フレーム３に対して上下に揺動操作され、モーア２０をゲージ輪２５が地面に接地した下降作業状態と、ゲージ輪２５が地面から上昇した上昇非作業状態とに昇降操作する。モーア２０を下降作業状態にして自走車体を走行させると、モーア２０は、刈り刃ハウジング２１の内部に位置する３枚の回転刈り刃２２Ｌ，２２Ｃ，２２Ｒ（図３参照）によって草や芝の刈り処理を行い、刈り草や刈り草を各回転刈り刃２２Ｌ，２２Ｃ，２２Ｒの回転によって発生した風によって刈り刃ハウジング２１の内部を刈り刃ハウジング２１の横一端部に位置する刈り草排出口２３（図３参照）に搬送し、この刈り草排出口２３から放出ガイド２４によって案内させながら自走車体横外側に放出する。
【００１７】
自走車体について詳述する。
自走車体は、前記左右一対の前車輪１，１と前記左右一対の後車輪２，２とを備える他、車体後部に設けたエンジン５を有した原動部と、運転座席６及び左右一対の操縦レバー７，７を有した運転部と、運転座席６の後側近くに位置した転倒保護枠８と、前記左右の後車輪２，２を支持する伝動装置９と、伝動装置９の前部に位置する動力取り出し軸１０の駆動力をモーア２０の刈り刃駆動機構２０Ｄに伝達する回転軸１１とを備えている。左右の前車輪１は、車体フレーム３の前部に連結された前輪支持フレーム１２の端部に前輪支持フォーク１３を介して遊転自在に支持されている。左右の前車輪１は、前輪支持フォーク１３と共に前輪支持フレーム１２に対して揺動操向する。左右の後車輪２，２は、伝動装置９が備える一対の静油圧式無段変速装置（図示せず）によって各別に駆動され、前記左右一対の操縦レバー７，７による一対の静油圧式無段変速装置の各別な変速操作によって各別に前進側及び後進側に変速され、かつ停止操作される。
【００１８】
次に、リンク機構４について詳述する。
リンク機構４は、車体フレーム３とモーア２０の刈り刃ハウジング２１の前端側とにわたって連結されて、モーア２０の前端側を車体フレーム３に昇降自在に連結している左右一対の前揺動リンク４ａ，４ａと、車体フレーム３と前記刈り刃ハウジング２１の後端側とにわたって連結されて、モーア２０の後端側を車体フレーム３に昇降自在に連結している左右一対の後揺動リンク４ｂ，４ｂと、左右両側において前揺動リンク４ａと後揺動リンク４ｂとにわたって連結された連動リンク４ｃとを備えている。
【００１９】
次に、モーア２０について詳述する。図３は、モーア２０の底面図である。図４は、モーア２０の底面側からの斜視図である。
これらの図に示すように、モーア２０は、前記刈り刃ハウジング２１と、前記３枚の回転刈り刃２２Ｌ，２２Ｒ，２２Ｃと、前記刈り草排出口２３と、前記ゲージ輪２５とを備える他、刈り刃ハウジング２１の内部に各回転刈り刃２２Ｌ，２２Ｒ，２２Ｃよりも前側に配置して設けた前バッフルプレート４０と、刈り刃ハウジング２１の内部に各回転刈り刃２２Ｌ，２２Ｒ，２２Ｃよりも後側に配置して設けた後バッフルプレート５０とを備えている。
【００２０】
刈り刃ハウジング２１は、天板２１ａと、この天板２１ａの山形の前縁部から刈り刃ハウジング下方向きに延出した前縦壁２１ｂと、天板２１ａの後縁部から刈り刃ハウジング下向きに延出した後縦壁２１ｃと、天板２１ａの横端部から刈り刃ハウジング下向きに延出した横縦壁２１ｄとによって構成され、自走機体下方向きに開口した容器形になっている。後縦壁２１ｃは、この後縦壁２１ｃの刈り刃ハウジング横方向での両端部に位置するとともに刈り刃ハウジング上下方向視で円弧形になった円弧形端部壁３１と、前記一対の円弧形端部壁３１，３１の間に位置するとともに刈り刃ハウジング上下方向視で直線形になった直線形中間部壁３２と備えている。刈り刃ハウジング２１の前記刈り草排出口２３は、天板２１ａと前縦壁２１ｂと後縦壁２１ｃとのそれぞれの端部によって形成されている。
【００２１】
図３，４，６，７に示すように、前記後縦壁２１ｃは、この後縦壁２１ｃの刈り刃ハウジング横幅方向での中央部に位置する部位としての前記直線形中間壁部３２の中央部位に設けた通気口３３と、この通気口３３の両横側に配置して前記直線形中間壁部３２に設けた第二通気口３４とを備えている。前記各第二通気口３４と前記通気口３３とは、前記通気口３３を挿通させて前記後バッフルプレート５０のセンタ刈り刃対応部５２と前記直線形中間壁部３２とにわたって連結された左右一対の板金製の支持部材６０，６０のうちの第二通気口３４に近い方の支持部材６０を挟んだ位置関係になっている。前記各第二通気口３４は、前記通気口３３とで挟んでいる前記支持部材６０の近くに配置されている。
【００２２】
図３，４に示すように、前記３枚の回転刈り刃２２Ｌ，２２Ｒ，２２Ｃは、刈り刃ハウジング２１の内部に刈り刃ハウジング横方向に並んでいる。各回転刈り刃２２Ｌ，２２Ｒ，２２Ｃは、刈り刃ハウジング２１の天板２１ａにベアリング支持ケースで成る支持部材２６を介して回転自在に支持された刈り刃駆動軸２７の下端部に一体回転自在に支持されており、刈り刃駆動軸２７が備える刈り刃ハウジング上下向きの軸芯Ｘまわりで刈り刃駆動軸２７と共に刈り刃ハウジング２１に対して回転する。各回転刈り刃２２Ｌ，２２Ｒ，２２Ｃは、回転刈り刃２２Ｌ，２２Ｒ，２２Ｃの両端部に設けた切断刃２８と、各切断刃２８の背後側に設けた起風羽根２９とを備えている。
【００２３】
前バッフルプレート４０は、３枚の回転刈り刃２２Ｌ，２２Ｒ，２２Ｃのうちの前記刈り草排出口２３が位置する側とは反対側の端に位置した反排出側サイド回転刈り刃２２Ｌの前方近くに位置したサイド刈り刃対応部４１と、３枚の回転刈り刃２２Ｌ，２２Ｒ，２２Ｃのうちの中央に位置したセンタ回転刈り刃２２Ｃの前方近くに位置したセンタ刈り刃対応部４２と、３枚の回転刈り刃２２Ｌ，２２Ｒ，２２Ｃのうちの前記刈り草排出口２３が位置する側の端に位置した排出側サイド回転刈り刃２２Ｒの前方に位置したサイド刈り刃対応部４３とを備えている。前記サイド刈り刃対応部４１は、刈り刃ハウジング上下方向視で反排出側回転刈り刃２２Ｌの回転域２２ＬＡにほぼ沿った円弧形になっている。前記センタ刈り刃対応部４２は、刈り刃ハウジング上下方向視でセンタ回転刈り刃２２Ｃの回転域２２ＣＡにほぼ沿った円弧形になっている。前記サイド刈り刃対応部４３は、排出側サイド回転刈り刃２２Ｒの回転域２２ＲＡから前方にかなり離れている。このサイド刈り刃対応部４３は、センタ刈り刃対応部４２に連結している側の端部分では刈り刃ハウジング上下方向視で円弧形になり、その他の部分では刈り刃ハウジング上下方向視で直線形になっている。
【００２４】
後バッフルプレート５０は、前記反排出側サイド回転刈り刃２２Ｌに対応したサイド刈り刃対応部５１と、前記センタ回転刈り刃２２Ｃに対応した前記センタ刈り刃対応部５２と、前記排出側サイド刈り刃２２Ｒに対応したサイド刈り刃対応部５３とを備えている。前記サイド刈り刃対応部５１は、刈り刃ハウジング上下方向視で反排出側回転刈り刃２２Ｌの回転域２２ＬＡに沿った円弧形になっている。このサイド刈り刃対応部５１の一部は、前記円弧形端部壁３１によって構成してある。前記センタ刈り刃対応部５２は、刈り刃ハウジング上下方向視でセンタ回転刈り刃２２Ｃの回転域２２ＣＡに沿った円弧形になっている。前記サイド刈り刃対応部５３は、刈り刃ハウジング上下方向視で排出側サイド回転刈り刃２２Ｒの回転域２２ＲＡに沿った円弧形になっている。このサイド刈り刃対応部５３の一部は、前記円弧形端部壁３１によって構成してある。
【００２５】
つまり、エンジン５からの駆動力を回転軸１１によって刈り刃駆動機構２０Ｄに伝達し、この刈り刃駆動機構２０Ｄによって各刈り刃駆動軸２７を駆動することにより、各回転刈り刃２２Ｌ，２２Ｒ，２２Ｃを刈り刃駆動軸２７が有する刈り刃ハウジング上下向きの軸芯Ｘまわりで図３に示す回転方向Ａに駆動する。すると、反排出側サイド回転刈り刃２２Ｌと排出側サイド回転刈り刃２２Ｒとは、起風羽根２９の起風作用により、刈り刃ハウジング２１の外部の空気を刈り刃ハウジング２１の前縦壁２１ｂ、横縦壁２１ｄ、後縦壁２１ｃの下方から回転域２２ＬＡ，２２ＲＡに導入して空気流を発生させ、芝、草を空気流によって起立させながら切断刃２８によって刈取り処理する。センタ回転刈り刃２２Ｃは、起風羽根２９の起風作用により、刈り刃ハウジング２１の外部の空気を刈り刃ハウジング２１の前縦壁２１ｂの下方から、さらに後縦壁２１ｃの下方と通気口３３と各第二通気口３４とから後バッフルプレート５０の下方を通してそれぞれ回転域２２ＣＡに導入して空気流を発生させ、芝、草を空気流によって起立させながら切断刃２８によって刈取り処理する。各ゲージ輪２５が地面に接地して刈り刃ハウジング２１を接地支持し、各回転刈り刃２２Ｌ，２２Ｒ，２２Ｃを設定刈り高さとしての設定対地高さに維持していることにより、各回転刈り刃２２Ｌ，２２Ｒ，２２Ｃによる刈り高さが設定刈り高さになる。各回転刈り刃２２Ｌ，２２Ｒ，２２Ｃによって刈取り処理された刈り草や刈り芝を各回転刈り刃２２Ｌ，２２Ｒ，２２Ｃの起風羽根２９によって発生した風により、後バッフルプレート５０と前バッフルプレート４０とに案内させて刈り刃ハウジング２１の内部を刈り草排出口２３が位置する横一端側に搬送し、刈り草排出口２３から刈り刃ハウジング２１の横外側に放出する。
【００２６】
図３に示すように、モーア２０は、刈り刃ハウジング２１の刈り刃ハウジング横方向での中央部の前側と後側とに刈り刃ハウジング横方向に並べて設けた一対の接地ローラ６１，６１，６２，６２を備えている。
【００２７】
前側の左右一対の接地ローラ６１，６１は、刈り刃ハウジング２１の前縦壁２１ｂに連結された左右一対の支持部材６３に支軸６４を介して遊転自在に支持されている。前側の左右一対の接地ローラ６１，６１は、地面に隆起部などの障害物があると、この障害物に乗り上がって刈り刃ハウジング２１の前端側を障害物に突っ込まないように接地支持しながら障害物を乗り越えていく。
【００２８】
図５，６，７に示すように、後側の左右一対の接地ローラ６２，６２は、前記後バッフルプレート５０と直線形中間壁部３２とにわたって連結された前記左右一対の支持部材６０，６０の前記通気口３３から後方に突出した部位に支軸６５を介して遊転自在に支持されている。後側の左右一対の接地ローラ６２，６２は、地面に隆起部などの障害物があると、この障害物に乗り上がって刈り刃ハウジング２１の後端側を障害物に突っ込まないように接地支持しながら障害物を乗り越えていく。この左右一対の接地ローラ６２，６２は、通気口３３の通気障害になりにくいように接地ローラ６２の全体が通気口３３から後方に突出した配置で支持されている。
【００２９】
〔別実施例〕
上記した実施例の如く、後側の接地ローラ６２を接地ローラ６２の全体が通気口３３から後方に突出するよう配置するに替え、接地ローラ６２の前端側が通気口３３に入り込み、接地ローラ６２の後端側が通気口３３から後方に突出するよう接地ローラ６２の一部が通気口３３から後方に突出するよう配置した構成を採用してもよく、この場合も本発明の目的を達成することができる。
【００３０】
接地ローラ６２に替え、橇体を採用しても本発明の目的を達成することができる。従って、接地ローラ６２や橇体を総称して障害物乗り越え接地体６２と呼称する。
【図面の簡単な説明】
【００３１】
【図１】乗用型草刈機全体の側面図
【図２】乗用型草刈機全体の平面図
【図３】モーアの底面図
【図４】モーアの底からの斜視図
【図５】モーアの縦断側面図
【図６】モーアの後側接地ローラ配設部での断面図
【図７】モーアの後側接地ローラ配設部での後面図
【符号の説明】
【００３２】
２１        刈り刃ハウジング
２１ｃ      刈り刃ハウジングの後縦壁
２２Ｌ，２２Ｒ，２２Ｃ      回転刈り刃
２２ＬＡ，２２ＲＡ，２２ＣＡ    回転刈り刃の回転域
２３        刈り草排出口
３３        通気口
３４        第二通気口
５０        後バッファプレート
６０        支持部材
６２        障害物乗り越え接地体
Ｘ          回転刈り刃の軸芯
【図１】
2008054522.tif 000003
【図２】
2008054522.tif 000004
【図３】
2008054522.tif 000005
【図４】
2008054522.tif 000006
【図５】
2008054522.tif 000007
【図６】
2008054522.tif 000008
【図７】
2008054522.tif 000009